(57)【要約】【課題】自然な対流を生じさせることで快適な暖房空間を作りだし得る暖房装置を容易に構成し、その保守、管理を容易になし得るようにした。【解決手段】床部Ｄに、壁Ｃに沿って設けた溝状凹部１０内に、この溝状凹部１０の長手方向に長いパネルヒーター２０を、該パネルヒーター２０におけるパネル面２１ａを当該溝状凹部１０の長手方向にある溝状凹部側面１０ａに向き合うように設けてあると共に、該溝状凹部１０の開口部１１を格子状蓋体３０で塞ぐようにしてある暖房装置Ａであって、該パネルヒーター２０における該壁Ｃ側にある溝状凹部側面１０ａ’に向き合っているパネル面２１ａ’の前方を覆うように該格子状蓋体３０から仕切りプレート４０を垂設して構成してある。【選択図】図１
2008209026.tif 000002
【特許請求の範囲】
【請求項１】
床部に、壁に沿って溝状凹部を設けてあり、
この溝状凹部内に、この溝状凹部の長手方向に長いパネルヒーターを、このパネルヒーターにおけるパネル面を当該溝状凹部の長手方向にある溝状凹部側面に向き合うように設けてあると共に、この溝状凹部の開口部を格子状蓋体で塞ぐようにしてある暖房装置であって、
前記パネルヒーターにおける前記壁側にある溝状凹部側面に向き合っているパネル面の前方を覆うように前記格子状蓋体から仕切りプレートが垂設してあることを特徴とする暖房装置。
【請求項２】
前記仕切りプレートが、この仕切りプレートで区分された溝状凹部内における壁側の溝状凹部内に下向きの自然な空気流を、反対側の溝状凹部内に上向きの自然な空気流を、前記パネルヒーターによる加熱に際して生ずるように設けてあることを特徴とする請求項１に記載の暖房装置。
【発明の詳細な説明】
【技術分野】
【０００１】
この発明は、暖気を室内の中央側に向けて、より自然な状態で案内し、快適な暖房空間を構成することのできる暖房装置を容易に設置し、かつ、管理し得るようにした暖房装置の提供に関する。
【背景技術】
【０００２】
暖房における熱効率や、暖房の質等から種々の暖房装置が提案されている。
【０００３】
建物の基礎との協働で密閉状態の床下を形成するとともに、床下と床上を連通する多数の通孔を設けた床材と、外部空気を加熱してその暖気を、床下空間に供給するとともに、前記床材の通孔から床面上に供給する暖房装置とを備えた床下暖房装置で、上記建物が、複数階でなり、この建物の下階から上階の居室に通じる通気路を備えている床下暖房装置が、換気性能にすぐれ、各居室内に暖房機を設置することなく、しかも、少ない施工手間、施工コストで設置できるとして提案されている（例えば、特許文献１）。
【０００４】
また、建物の床下に配備されて、その床上の室内を暖房するための暖房機であって、前記床上に臨む吸気口から、同じく前記床上に臨む送気口まで空気が送られる、空気の通路を備え、前記通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなり、かつ、前記暖房機は、前記通路を形成するように、前記通路を覆う略円筒形に形成されたケースと、そのケース内を前記吸気通路と前記送氣通路とに仕切る仕切り壁とを備え、また、前記通路内を空気が前記吸気口から前記送気口に向かって流れるように送る送風ファンと、前記通路内を流れる空気を加熱する加熱装置とを備えることを特徴とする暖房機が床下に配備されて、床上の室内を暖房する暖房機として提案されている（例えば、特許文献２）。
【０００５】
【特許文献１】平成１１年特許出願公開第１９３９３６号公開公報
【特許文献２】特許第３８５２５８２号特許公報
【発明の開示】
【発明が解決しようとする課題】
【０００６】
一方で、床下に暖房手段を備え、この床下の暖房手段によって、良質の暖気を当該建造物内にもたらす暖房装置が求められている。
【０００７】
この発明は、輻射による暖房装置であって、暖房空間を、自然な対流によって暖め得るようにした暖房装置の提供をなそうとするものである。
【課題を解決するための手段】
【０００８】
この発明は、前記課題を解決するために、床部に、壁に沿って溝状凹部を設けてあり、
この溝状凹部内に、この溝状凹部の長手方向に長いパネルヒーターを、このパネルヒーターにおけるパネル面を当該溝状凹部の長手方向にある溝状凹部側面に向き合うように設けてあると共に、この溝状凹部の開口部を格子状蓋体で塞ぐようにしてある暖房装置であって、
前記パネルヒーターにおける前記壁側にある溝状凹部側面に向き合っているパネル面の前方を覆うように前記格子状蓋体から仕切りプレートが垂設してあることを特徴とする暖房装置としてある。
【０００９】
かかる構成からなる暖房装置にあっては、パネルヒーターによる加熱に際して、壁側から溝状凹部内に引き込まれる空気が、パネルヒーター側から前記壁と反対の側に向けて吹き上げられるように移動し、自然な対流を生じ、快適な暖房空間を作り出すことができる。
【００１０】
また、仕切りプレートを格子状蓋体に一体的に設けたことから、仕切りプレートを現場において溝状凹部内に設置施工する煩わしさが無く、格子状蓋体の製作に関連して設けることができる。
【００１１】
また、このように仕切りプレートを格子状蓋体に一体に設けてあることから、溝状凹部内やパネルヒーター等の保守、管理が容易、かつ、確実になすことができる。
【００１２】
また、前記構成に係る暖房装置にあって、前記仕切りプレートが、この仕切りプレートで区分された溝状凹部内における壁側の溝状凹部内に下向きの自然な空気流を、反対側の溝状凹部内に上向きの自然な空気流を、前記パネルヒーターによる加熱に際して生ずるように設けてあることを特徴とする暖房装置では、前記特長に併せて、より快適な暖房空間をもたらすことができる。
【発明の効果】
【００１３】
暖房対象とされる空間内に、輻射熱によって、自然な対流を生じさせることで快適な暖房空間を作りだし得る暖房装置を、容易に構成し、しかも、その保守、管理を容易になし得るようにした。
【発明を実施するための最良の形態】
【００１４】
以下、図１〜図３にもとづいて、この発明を実施するための最良の形態に係る暖房装置Ａについて説明する。
【００１５】
なお、ここで図１は当該発明を実施するための最良の形態に係る典型的な暖房装置Ａを、その格子状蓋体３０を取り外した状態の要部を斜め上方から見て、図２は、その要部を上方から見て、図３は、その要部を断面して示している。
【００１６】
この発明を実施するための最良の形態に係る暖房装置Ａは、床部Ｄに、壁Ｃに沿って溝状凹部１０を設けてあり、
この溝状凹部１０内に、この溝状凹部１０の長手方向に長いパネルヒーター２０を、このパネルヒーター２０におけるパネル面２１ａを当該溝状凹部１０の長手方向にある溝状凹部側面１０ａに向き合うように設けてあると共に、この溝状凹部１０の開口部１１を格子状蓋体３０で塞ぐようにしてある暖房装置Ａであって、
前記パネルヒーター２０における前記壁Ｃ側にある溝状凹部側面１０ａ’に向き合っているパネル面２１ａ’の前方を覆うように前記格子状蓋体３０から仕切りプレート４０を垂設して構成してある。
【００１７】
なお、この暖房装置Ａの備えられる暖房対象物は、戸建て住宅、集合住宅等の住宅、病院、学校、保養所等の各種の私的あるいは公的な各種の施設等、いかなる建造物Ｂであってもよい。
【００１８】
また、床部Ｄは、当該各種の建造物Ｂにおける床部Ｄであれば、いかなる箇所における床部であってもよく、いかなる構造のものであってもよい。
【００１９】
また、当該床部Ｄに続く壁Ｃは、前記各種の建造物Ｂにおける壁であれば、いかなる箇所の壁であってもよく、また、いかなる構造の壁であってもよい。
【００２０】
かかる暖房装置Ａを構成する溝状凹部１０は、底面１０ｂに到る周側面を備えるように床部Ｄに細長く凹設されて、パネルヒーター２０を設置し得る底面１０ｂ及び周側面の塞がれた内部空間を備えるものであれば、いかなる形状のものであっても、また、いかなる構造のものであってもよい。
【００２１】
かかる暖房装置Ａを構成する格子状蓋体３０は、溝状凹部１０の開口部１１を塞いで、床面として機能させると同時に、この溝状凹部１０と床上空間とを連通させる開口隙間３４を備えるものであれば、縦格子状、横格子状、井桁格子状、千鳥格子状等、いかなる構成の格子状に構成してあっても、また、いかなる素材によって構成してあってもよい。
【００２２】
かかる暖房装置Ａを構成する仕切りプレート４０は、前記格子状蓋体３０から、前記溝状凹部１０内に設置されるパネルヒーター２０における壁Ｃ側の溝状凹部側面１０ａ’に向き合っているパネル面２１ａ’の前方を覆うように垂設してあれば、いかなる素材によって構成してあっても、また、いかなる形状に構成してあってもよい。
【００２３】
かかる暖房装置Ａを構成するパネルヒーター２０は、パネル面２１ａからの輻射熱を利用して暖房しうるものであれば、例えば、オイルパネルヒーター、温水パネルヒーター、遠赤外線パネルヒーター等、いかなる形態のパネルヒーターであってもよい。
【００２４】
かかる構成からなる暖房装置Ａにあっては、パネルヒーター２０による加熱に際して、壁Ｃ側から溝状凹部１０内に引き込まれる空気が、パネルヒーター２０側から前記壁Ｃと反対の側に向けて吹き上げられるように移動し、自然な対流を生じ、快適な暖房空間を作り出すことができる。
【００２５】
また、仕切りプレート４０を格子状蓋体３０に一体的に設けたことから、仕切りプレート４０を現場において溝状凹部１０内に設置施工する煩わしさが無く、格子状蓋体３０の製作に関連して設けることができる。
【００２６】
また、このように仕切りプレート４０を格子状蓋体３０に一体に設けてあることから、溝状凹部１０内やパネルヒーター２０等の保守、管理が容易、かつ、確実になすことができる。
【００２７】
また、前記構成に係る暖房装置Ａにあって、前記仕切りプレート４０が、この仕切りプレート４０で区分された溝状凹部１０内における壁Ｃ側の溝状凹部１０内に下向きの自然な空気流を、反対側の溝状凹部１０内に上向きの自然な空気流を、前記パネルヒーター２０による加熱に際して生ずるように設けた暖房装置Ａでは、前記特長に併せて、より快適な暖房空間を作り出すことができる。
【００２８】
ついで、図示例に係る暖房装置Ａを具体的に説明する。
【００２９】
この図示例に係る暖房装置Ａは、床部Ｄに、壁Ｃに沿った溝状凹部１０を設けてあり、しかも、この溝状凹部１０内に、この溝状凹部１０の長手方向に長いパネルヒーター２０を、このパネルヒーター２０におけるパネル面２１ａを当該溝状凹部１０の長手方向にある溝状凹部側面１０ａに向き合うように設けてあり、更に、この溝状凹部１０の開口部１１を、ガラリと称される格子状蓋体３０で塞ぐようにして構成してあり、更に、前記パネルヒーター２０における前記壁Ｃ側にある溝状凹部側面１０ａ’に向き合っているパネル面２１ａ’の前方を覆うように前記格子状蓋体３０から仕切りプレート４０を垂設して構成してある。
【００３０】
この図示例にあっては、当該暖房装置Ａを、住宅Ｂ’、特に、寒冷地用住宅としての建造物Ｂに備えた状態を示してある。
【００３１】
この図示例に係る住宅Ｂ’にあっては、掘削地面７１に設けたベタ基礎５０に寒冷地仕様の建造物Ｂを設けてあり、当該ベタ基礎５０における外回りの立ち上がり部５１上に気密基礎パッキン５３を介して土台５４を備え付けあり、この土台５４に起立させた柱５６の室内側にボード材６１を張り込み、屋外側に断熱パネル等を外壁ボード、外壁仕上げ材等で覆って外壁材５９を設けて、いわゆる外壁Ｃ’としての壁Ｃを構成してある。なお、図中Ｃ”は間仕切り壁を示している。
【００３２】
かかる外壁Ｃ’における下端部に水切り６０を備え付けてベタ基礎の外回り立ち上がり部５１の屋外側に断熱材６２を添装して、その表面を耐水材７０等で覆って化粧してある。
【００３３】
また、この図示例にあっては、外回り立ち上がり部５１との間に断熱空間をかねて溝状凹部１０を構成する空間を設けうるようにベタ基礎の内回り立ち上がり部５２が設けてあり、この立ち上がり部５２上に気密基礎パッキン６３を介して土台５５を設けてあり、この土台５５及び前記土台５４の互いに向き合っている側に備えられている各下地材に床パネル５７を張り込んであり、この床パネル５７上に床材５８を張り込んで床部Ｄを構成してある。なお、この床材５８と前記壁Ｃのボード材６１との間に巾木等を備え付けて意匠的な外観を整えるようにしてある。
【００３４】
また、前記外回り立ち上がり部５１及び内回り立ち上がり部５２の互いに向きあっている面と、これらの面間にあるコンクリートスラブ面とに断熱材６２が添装状態に設けてあり、この断熱材６２の上端面と前記床パネル５７の下地材の下端面との間にウレタン樹脂が充填発泡させてある。また、内回り立ち上がり部５２における内側面にも断熱材６２が添装状態に設けてあり、基礎部における断熱性能を高めるようにしてある。
【００３５】
かかる外回り立ち上がり部５１と内回り立ち上がり部５２との間にある床部Ｄに暖房装置Ａを構成する溝状凹部１０を構成してある。
【００３６】
この溝状凹部１０は、壁Ｃに沿って、すなわち、壁Ｃに沿った向きに細長く開口するように設けてある。
【００３７】
この溝状凹部１０は、床部Ｄに対して、壁Ｃに沿って設けてあり、この図示例では、前記床パネル５７及び床板５８をカットして開口部１１を設けてあり、この開口部１１を取り巻くように前記下地材と、当該床パネル５７及び床板５８の開口面に背面６５ｃを接するように止着した開口縁材６５における互いに向き合っている側にある各下側カット部６５ｂと、前記外回り立ち上がり部５１及び内回り立ち上がり部５２の互いに向き合っている断熱材６２面に止着した下地材６７とに止着した各側板６６で、当該溝状凹部１０の周側壁を構成してあり、更に、この溝状凹部１０の内側を周回するように設置されている側板６６〜６６の各下端面を受けるように底板６８を設けてある。
【００３８】
この底板６８は、各下地材６９によって支承されており、パネルヒーター２０を起立状態に設置しうるようにしてある。
【００３９】
この図示例に係る溝状凹部１０は、前記底板６８の上面を底面１０ｂとし、この底板６８の長手縁に沿って起立されている側板６６の内の壁Ｃ側にある側板６６面を溝状凹部側面１０ａ’としてあり、また、これと向き合っている側板６６の面を溝状凹部側面１０ａ”として構成してある。
【００４０】
また、前記開口縁材６５で構成される開口部１１に、当該開口縁材６５における互いに向き合った上端部に備えられている上側カット部６５ａによって、当該開口部１１に外広がりの拡開縁部１２を、水平受け面１２ａと、この水平受け面１２ａの外周から当該開口縁材６５の上端に到る起立面１２ｂとで構成してある。
【００４１】
この溝状凹部１０内に設置されるパネルヒーター２０は、長尺状のパネルヒーター本体部２１を備えており、複数本の設置用の起立脚部２２によって前記底板６８に備えつけてあり、パネル面２１ａを当該溝状凹部１０の長手側にある各溝状凹部側面１０ａ’、１０ａ”に向き合うように、この溝状凹部１０の長手方向に、その長さ方向を向けて設けてある。
【００４２】
また、この図示例に係るパネルヒーター２０は、溝状凹部１０における壁Ｃ側にある溝状凹部側面１０ａ’から離れた位置に設けてあり、この図示例では、当該溝状凹部１０の幅方向の中心から、溝状凹部側面１０ａ”側に位置づけられて設置してあり、その上端が格子状蓋体３０に接しない高さ寸法としてある。
【００４３】
かかる溝状凹部１０の開口部１１を塞ぐ格子状蓋体３０は、前記開口部１１の拡開縁部１２内に納まる平面視で長方形をなす周側枠３１と、この周側枠３１の長手側にある周側枠３１、３１間に所定間隔毎に横架される複数本の桟材３２〜３２と、短手側にある周側枠３１に沿って必要に応じて備えられている補強板とで、前記桟材３２間に、当該格子状蓋体３０の短手側を向いたスリット状の開口隙間３４〜３４を、当該格子状蓋体３０の長手方向に、順次並ぶように設けてある。また、この周側枠３１間に備えられる桟材３２は、板状に構成してあり、その板幅の向きを上下方向に向けて備えてあり、その木端面をなす上端面を、当該周側枠３１の上端面と同面をなすように設けてある。
【００４４】
また、この格子状蓋体３０には、その下面側に、当該格子状蓋体３０から下方に向けて仕切りプレート４０が垂設してある。この図示例にあっては、この仕切りプレート４０は当該格子状蓋体３０の幅方向の、ほぼ中央部に、この格子状蓋体３０の長手方向にわたるように、当該格子状蓋体３０に一体となるように設けてある。
【００４５】
また、この仕切りプレート４０は、壁Ｃ側と反対の側にある溝状凹部側面１０ａ”と当該仕切りプレート４０との間にパネルヒーター２０が位置づけられるようにしてあり、この図示例では、当該溝状凹部１０によって、より自然な対流を生ずるように、パネルヒーター２０の溝状凹部側面１０ａ’を向いている側のパネル面２１ａ’の前方を、ほぼ、全面にわたって塞ぐようにしてある。すなわち、この図示例にあっては、前記格子状蓋体３０の下面から、当該パネルヒーター２０におけるパネルヒーター本体部２１の下端に到る縦幅を備え、かつ、溝状凹部１０の開口部１１を塞ぐ当該格子状蓋体３０における長手方向の全幅にわたるように仕切りプレート４０を設け、パネルヒーター２０による加熱に際して、パネルヒーター本体部２１の周面に生ずる空気流に乱れを極力生じないようにしてある。また、この図示例に係る仕切りプレート４０は、その下端と溝状凹部１０の底面１０ｂとの間に、パネルヒーター２０による加熱に際して、自然な対流を生じうる空気流が通り抜けうる空間を構成するようにしてある。
【００４６】
また、当該仕切りプレート４０は、前記壁Ｃ側にある溝状凹部側面１０ａ’を向いている面と前記格子状蓋体３０の桟材３２とに止着される補強板４１を所定間隔毎に備えており、仕切りプレート４０を、安定に垂直状態に維持し得るようにしてある。なお、この補強板４１は仕切りプレート４０に止着される縁部を垂直にした倒台形状に構成してあり、パネルヒーター２０による加熱に際して生ずる空気流に乱れを生じさせないようにも機能する。
【００４７】
かかる構成からなる格子状蓋体３０を前記溝状凹部１０の開口部１１の拡開縁部１２内に嵌め入れるようにして設置する。ここで、拡開縁部１２内に設置されて開口部１１を塞ぐ格子状蓋体３０は、この格子状蓋体３０における周側枠３１の上端面が床板５８の面と同面となり、かつ、当該周側枠３１の外周面が、この拡開縁部１２の起立面１２ｂに密着するように水平受け面１２ａに支承されるようにしてある。
【００４８】
かかる構成からなる暖房装置Ａでは、パネルヒーター２０による加熱に際して、仕切りプレート４０と壁Ｃ側にある溝状凹部側面１０ａ’との間に、格子状蓋体３０における開口隙間３４から空気が流入され、この流入空気が、当該仕切りプレート４０と底面１０ｂとの間から、パネルヒーター２０の備えられている溝状凹部１０空間、すなわち、壁Ｃと反対の側にある溝状凹部側面１０ａ”と仕切りプレート４０との間で、パネルヒーター２０により加熱されて、壁Ｃと反対の側にある建造物内空間Ｂａ、この図示例にあっては、室内Ｂａ’の中央側に向けて案内され、自然な対流による暖房空間を構成することができる。
【００４９】
また、溝状凹部１０に仕切りプレート４０を設けること無く、この仕切りプレート４０を格子状蓋体３０の構成時に、この仕切りプレート４０に設けたことから、仕切りプレート４０の設置のための別段の施工手間が不要とされる。また、当該仕切りプレート４０を格子状蓋体３０に備え付けたことから、当該暖房装置Ａの清掃、補修等に際して、溝状凹部１０内に、これらの清掃、補修等の妨げとなる仕切りプレート４０が無く、当該暖房装置Ａの保守、管理が容易とされる。
【図面の簡単な説明】
【００５０】
【図１】典型的な暖房装置の要部備品の分離斜視図
【図２】同要部平面図
【図３】同要部拡大縦断面図
【符号の説明】
【００５１】
Ａ  窓構造
Ｂ  建築物
Ｂａ  窓
１０  水管
２０  格子状体
【図１】
2008209026.tif 000003
【図２】
2008209026.tif 000004
【図３】
2008209026.tif 000005